(57)【要約】【課題】視力矯正用のインナーフレームが設けられるゴーグルにおいて良好な視野を得る。【解決手段】ゴーグル１０はゴーグルフレーム２０とゴーグルレンズ３０を有する。装着者の左眼側に位置する左レンズ３１と右眼側に位置する右レンズ３２を連結する中央部３３に、ゴーグルレンズ３０をゴーグルレンズ支持部２３に回動可能に取り付けるための取付金具３４を設ける。左右レンズ３１、３２において装着者の眼に対向する対向面、および中央部３３の水平方向の曲率半径を約２５０ｍｍ（ミリメートル）に形成し、左右レンズ３１、３２において装着者の顔面の側部に位置する側湾曲面の水平方向の曲率半径を約２５ｍｍに形成し、左右レンズ３１、３２の対向面の垂直方向の曲率半径を約６０ｍｍに形成する。【選択図】　　　　図１
2004008496.tif 000002
【特許請求の範囲】
【請求項１】
視力矯正用レンズを有する眼鏡フレームが着脱自在に取付け可能なゴーグルであって、
装着者の顔面の正面に対向する一対の対向面の通常の使用状態における水平方向の第１の曲率半径と、前記装着者の顔面の側面近傍に位置する一対の側湾曲面の前記水平方向の第２の曲率半径と、前記一対の対向面の通常の使用状態における垂直方向の第３の曲率半径とが異なるレンズを備え、
前記第１の曲率半径は、前記一対の対向面が前記装着者の顔面の正面に略平行となるよう設定され、
前記第２および第３の曲率半径は、前記装着者の眼に対する外光の直接入射および異物の浸入の防止が可能となるよう設定されることを特徴とするゴーグル。
【請求項２】
前記第１の曲率半径は約２００ｍｍ（ミリメートル）以上であり、前記第２の曲率半径は約１５ｍｍから３０ｍｍの範囲内にあり、前記第３の曲率半径は約５０ｍｍから１００ｍｍの範囲内にあることを特徴とする請求項１に記載のゴーグル。
【請求項３】
前記第１の曲率半径は約２５０ｍｍであり、前記第２の曲率半径は約２５ｍｍであり、前記第３の曲率半径は約６０ｍｍであることを特徴とする請求項２に記載のゴーグル。
【請求項４】
前記対向面と前記側湾曲面は連続する３つ以上の異なるカーブから形成されていることを特徴とする請求項１に記載のゴーグル。
【発明の詳細な説明】
【０００１】
【発明の属する技術分野】
本発明は、例えばスポーツの最中に着用されるゴーグルであって、度付レンズを備える眼鏡フレームと共に用いられるゴーグルに関する。
【０００２】
【従来の技術】
従来、スポーツの最中に、雪、埃、日光等から眼を保護するためゴーグルを着用することがある。このようなゴーグルのレンズは、製造の容易さおよびコストの安さ等の理由から、ガラス材を球面に形成し、その一部をレンズの形状に型どることにより製造されている。
【０００３】
一方、近視や遠視の人の中には、体質的にコンタクトレンズの装用ができない人もいる。そのような人は、視力矯正用の眼鏡と共にゴーグルを着用しなければならない。そこで、視力矯正用のレンズが嵌め込まれたフレームをインナーフレームとしてゴーグルに取付けることが行われる。このインナーフレームは、ゴーグルの球面に合わせある程度湾曲させ、ゴーグルにおいて顔面に近い側に着脱自在に設けられる。
【０００４】
ところで、視力矯正用眼鏡のレンズにあっては、その左右のレンズの光軸が常に左右の視線に一致することが望ましいが、瞳の向くあらゆる方向に対してレンズの光軸をそのように合わせることは困難である。したがって、装着した状態でレンズが顔面に平行となるよう眼鏡フレームは構成されている。
【０００５】
【発明が解決しようとする課題】
ところが、上述のインナーフレームはゴーグルの球面に合わせて湾曲するため、着用者は良好な視界を得ることができない。そこで、インナーフレームにはめ込まれるのが近視矯正用のレンズであれば光軸を外側に所定の寸法だけ偏心させ、遠視矯正用のレンズであれば内側に所定の寸法だけ偏心させることが行われる。しかしながら、着用者の瞳が真っ直ぐ前方を向いている場合は問題ないが、左右方向に向く場合は良好な視野が得られない。例えば、着用者の瞳が左方向に向く場合、右目の視線の中心は右レンズの中央よりの縁部近傍を通り、左眼の視線の中心は左レンズの外側の縁部近傍を通ることとなるが、対応するレンズに対するそれぞれの視線の角度は大きく異なってしまう。したがって、インナーフレームは視力矯正として十分な機能が果たせないという問題があった。
【０００６】
本発明は以上の問題を解決するものであり、視力矯正用のインナーフレームが設けられるゴーグルにおいて良好な視野を得ることを目的とする。
【０００７】
【課題を解決するための手段】
本発明に係るゴーグルは、視力矯正用レンズを有する眼鏡フレームが着脱自在に取付け可能なゴーグルであって、装着者の顔面の正面に対向する一対の対向面の通常の使用状態における水平方向の第１の曲率半径と、装着者の顔面の側面近傍に位置する一対の側湾曲面の上述の水平方向の第２の曲率半径と、一対の対向面の通常の使用状態における垂直方向の第３の曲率半径とが異なるレンズを備え、第１の曲率半径は、一対の対向面が装着者の顔面の正面に略平行となるよう設定され、第２および第３の曲率半径は、装着者の眼に対する外光の直接入射および異物の浸入の防止が可能となるよう設定されることを特徴とする。
【０００８】
好ましくは、第１の曲率半径は約２００ｍｍ（ミリメートル）以上であり、第２の曲率半径は約１５ｍｍから３０ｍｍの範囲内にあり、第３の曲率半径は約５０ｍｍから１００ｍｍの範囲内にある。より好ましくは、第１の曲率半径は約２５０ｍｍであり、第２の曲率半径は約２５ｍｍであり、第３の曲率半径は約６０ｍｍである。
【０００９】
また、上述のレンズの対向面と側湾曲面は連続する３つ以上の異なるカーブから形成されていることが好ましい。
【００１０】
以上のように本発明によれば、レンズの一対の対向面の水平方向のカーブは、装着者の顔面に対して略平行となるよう形成される。したがって、一般の視力矯正用の眼鏡と同様の光学的条件を満たす眼鏡フレーム（インナーフレーム）をゴーグルに取付けることが可能となり、ゴーグルと視力矯正用眼鏡を共に用いる場合において良好な視野を得ることができる。
【００１１】
また、側湾曲面の水平方向のカーブと対向面の垂直方向のカーブは、対向面の水平方向のカーブとは異なり、装着者の顔面に対するそれぞれの位置において外光の直接入射や異物の浸入を防止することが可能なよう形成されている。したがって、装着者の目を保護するゴーグルとしての機能が損なわれることがない。
【００１２】
【発明の実施の形態】
以下、本発明の実施の形態を図面を参照して説明する。図１は本発明に係る実施形態が適用されるゴーグルの斜視図、図２は同ゴーグルの正面図、図３は同ゴーグルの平面図である。尚、ゴーグルの構成を明示するため、図１において一部の部材は透視的に示される。ゴーグル１０は、ゴーグルフレーム２０とゴーグルレンズ３０を有する。ゴーグルフレーム２０は、一対のテンプル２１、２２とゴーグルレンズ支持部２３を有する。ゴーグルレンズ支持部２３は細線状の部材であり、両端部においてヒンジを介して一対のテンプル２１、２２に連結される。
【００１３】
図１に示すように、ゴーグルレンズ支持部２３の中央には、下方向に延びる鼻パッド支持部２４が形成されている。鼻パッド支持部２４には、一対の鼻パッド２５、２６が取り付けられる。また、鼻パッド支持部２４には、後述する視力矯正用眼鏡が着脱自在に取り付けられる。
【００１４】
図１および図２に示すように、ゴーグルレンズ３０は、装着者の左眼側に位置する左レンズ３１と右眼側に位置する右レンズ３２が一体化して形成された一眼タイプのレンズである。左右のレンズ３１、３２を連結する中央部３３には、ゴーグルレンズ３０をゴーグルレンズ支持部２３に取り付けるための取付金具３４が設けられている。
【００１５】
ゴーグルレンズ支持部２３において鼻パッド支持部２４の上方には凹部が形成されており、この凹部にはゴーグルレンズ支持部２３の軸心方向に沿って支持軸２７（図３参照）が設けられている。ゴーグルレンズ３０は、取付金具３４を介して支持軸２７に取り付けられており、支持軸２７の軸心回りに回動可能に支持されている。したがって、ゴーグルレンズ３０は上方、すなわち装着者の顔面から離れる方向に跳ね上げることが可能である。
【００１６】
尚、図２、３において、図の複雑化を避けるため一部の部材は省略されてる。また、図３においては、ゴーグルレンズ３０の上端面のみが示される。
【００１７】
図４は、ゴーグル１０に視力矯正用眼鏡４０を取り付け、ゴーグルレンズ３０を上方に跳ね上げた状態を示す正面図である。視力矯正用眼鏡４０は、視力矯正のための一対のレンズ４１、４２とフレーム４３とを有する。フレーム４３は、一対のレンズ４１、４２をそれぞれ保持するリム４４、４５と、リム４４、４５を連結する連結部４６を備え、これらは一体的に形成されている。視力矯正用眼鏡４０は、連結部４６を介して鼻パッド支持部２４に着脱可能に取付けられる。
【００１８】
図５は、ゴーグルレンズ３０の平面図である。ゴーグルレンズ３０の左レンズ３１の対向面３１ａおよび右レンズ３２の対向面３２ａは、水平方向において装着者の顔面の正面に略平行となるよう成型される。左レンズ３１の対向面３１ａは装着者の左眼に対向する面であり、その範囲は上述の視力矯正用眼鏡４０のリム４４の外側端部に対応する部分から中央部３３までの範囲である。同様に、右レンズ３２の対向面３２ａは装着者の右眼に対向する面であり、その範囲は視力矯正用眼鏡４０のリム４５の外側端部に対応する部分から中央部３３までの範囲である。また、水平方向とは、装着者が通常の姿勢でゴーグル１０を装着した状態における水平方向であり、図２〜図４における横方向に相当する。
【００１９】
対向面３１ａおよび対向面３２ａを水平方向において装着者の顔面の正面と略平行とならしめるためには、左レンズ３１の対向面３１ａから中央部３３を経て右レンズ３２の対向面に至る部分の水平方向の曲率半径（第１の曲率半径）を、約２００ｍｍ（ミリメートル）以上に設定することが望ましい。本実施形態において、この曲率半径は約２５０ｍｍに設定されている。
【００２０】
また、左レンズ３１および右レンズ３２は、装着者の顔面の側部近傍および左右の眼の下方から、外光が直接入射したり異物が浸入するのを防止できるよう成型される。装着者の顔面の側部近傍からの外光の直接入射等を防止するためには、左レンズ３１の側湾曲部３１ｂおよび右レンズ３２の側湾曲部３２ｂの水平方向の曲率半径（第２の曲率半径）は約１５ｍｍから３０ｍｍの範囲内に設定されるのが望ましい。本実施形態において、この曲率半径は約２５ｍｍに設定されている（曲率中心はｃ１、ｃ２）。尚、側湾曲部３１ｂの範囲は、視力矯正用眼鏡４０のリム４４の外側端部に対応する部分から左レンズ３１の側端部までの範囲であり、側湾曲部３２ｂの範囲は、視力矯正用眼鏡４０のリム４５の外側端部に対応する部分から右レンズ３２の側端部までの範囲である。
【００２１】
図６はゴーグルレンズ３０の左レンズ３１の側面図であり、図５に比してやや拡大して図示される。装着者の顔面の左眼の下方からの外光の直接入射等を防止するためには、左レンズ３１の対向面３１ａの垂直方向の曲率半径（第３の曲率半径）は約５０から１００ｍｍの範囲内に設定されるのが望ましい。本実施形態においては、この曲率半径は約６０ｍｍに設定されている（曲率中心はｃ３）。装着者の顔面の右眼の下方からの外光の直接入射等を防止すべく、右レンズ３２の対向面３２ａの垂直方向の曲率半径（第３の曲率半径）も同様に設定される。尚、垂直方向とは、装着者が通常の姿勢でゴーグル１０を装着した状態における垂直方向であり、図２、４における縦方向に相当する。
【００２２】
図７は、ゴーグルレンズ３０のみを示す斜視図であり、対物側の表面のカーブを示すための直線が描かれている。図７に示されるように、対向面３１ａ、３２ａ、側湾曲面３１ｂ、３２ｂ、および中央部３３は、連続する３つ以上の異なるカーブから形成されている
【００２３】
以上のように、本実施形態によれば、ゴーグルレンズ３０が上述のような連続する３つの異なるカーブから形成されているため、装着者が前方を見るときの左右の視線に直交する面に対して、レンズ４１、４２の光軸が直交する状態で視力矯正用眼鏡４０を取り付けることができるとともに、埃や雨水、雪等の浸入や、外光の直接入射を防止することができる。すなわち、ゴーグル１０としての機能を損なうことなく、視力矯正用眼鏡４０の光学的特性を充分に発揮することが可能となる。
【００２４】
また、本実施形態によれば、装着者の顔面に略平行な視力矯正用眼鏡と、球面状を呈するゴーグルレンズとを組み合わせて使用する場合に比べ、ゴーグルレンズと視力矯正用眼鏡のレンズとの間の距離が狭められる。したがって、より良好な視野を得ることができる。
【００２５】
尚、本実施形態では、左右のレンズ３１、３２が一体化して形成された所謂一眼レンズタイプのゴーグルを例にとって説明したがこれに限るものではない。左右のレンズが独立している所謂二眼レンズタイプのゴーグルに適用することも可能である。
【００２６】
【発明の効果】
以上のように、本発明によれば、ゴーグルとしての機能を損なうことなく、ゴーグルに取り付けられる視力矯正用のインナーフレームの光学的特性を充分に機能させることができる。
【図面の簡単な説明】
【図１】本発明の実施形態が適用されるゴーグルの斜視図である。
【図２】ゴーグルの正面図である。
【図３】ゴーグルの平面図である。
【図４】視力矯正用眼鏡を取り付けたゴーグルのゴーグルレンズを跳ね上げた状態を示す正面図である。
【図５】ゴーグルレンズの平面図である。
【図６】ゴーグルレンズの左レンズの側面図である。
【図７】ゴーグルレンズの表面のカーブを示す図である。
【符号の説明】
１０　ゴーグル
２０　フレーム
２１、２２　テンプル
２３　ゴーグルレンズ支持部
３０　ゴーグルレンズ
３１　左レンズ
３２　右レンズ
３１ａ、３２ａ　対向面
３１ｂ、３２ｂ　側湾曲面
３３　中央部
４０　視力矯正用眼鏡
【図１】
2004008496.tif 000003
【図２】
2004008496.tif 000004
【図３】
2004008496.tif 000005
【図４】
2004008496.tif 000006
【図５】
2004008496.tif 000007
【図６】
2004008496.tif 000008
【図７】
2004008496.tif 000009